(57)【要約】【課題】失禁に伴う不快感を抑制することが可能なパンツおよび尿吸収パッドを提供すること。【解決手段】パンツ生地と、パンツ生地の裏面に取り付けられる尿吸収パッド（３）とを備えたパンツである。尿吸収パッド（３）は、装着者の体に接触する拡散シート（３０）と、パンツ生地の裏面に接触する防水シート（５０）と、拡散シート（３０）と防水シート（５０）との間に配置される吸水シート（４０）とを備え、吸水シート（４０）は、連続多孔質体を有する吸水性ウレタンスポンジである。【選択図】図２
0003202038.tif 000002
【実用新案登録請求の範囲】
【請求項１】
パンツ生地と、前記パンツ生地の裏面に取り付けられる尿吸収パッドとを備えたパンツであって、
前記尿吸収パッドは、
装着者の体に接触する拡散シートと、
前記パンツ生地の裏面に接触する防水シートと、
前記拡散シートと前記防水シートとの間に配置される吸水シートとを備え、
前記吸水シートは、連続多孔質体を有する吸水性ウレタンスポンジである、パンツ。
【請求項２】
前記吸水シートは、平均気孔径が１５μｍ以上３５μｍ以下であり、気孔率が８０％以上９０％以下であり、保水率が３５０％以上７００％以下である、請求項１に記載のパンツ。
【請求項３】
前記拡散シートは、ポリエステル系のニット素材である、請求項１または２に記載のパンツ。
【請求項４】
前記拡散シートは、メッシュ素材である、請求項１〜３のいずれかに記載のパンツ。
【請求項５】
前記吸水シートは、２枚以上積層されている、請求項１〜４のいずれかに記載のパンツ。
【請求項６】
前記吸水シートの厚みは、０．７ｍｍ以上１．３ｍｍ以下である、請求項１〜５のいずれかに記載のパンツ。
【請求項７】
前記吸水シートは、消臭成分、抗菌成分および芳香成分のうちの少なくとも１つの成分を含む、請求項１〜５のいずれかに記載のパンツ。
【請求項８】
パンツ生地の裏面に取り付けられる尿吸収パッドであって、
装着者の体に接触する拡散シートと、
前記パンツ生地の裏面に接触する防水シートと、
前記拡散シートと前記防水シートとの間に配置される吸水シートとを備え、
前記吸水シートは、連続多孔質体を有する吸水性ウレタンスポンジである、尿吸収パッド。
【考案の詳細な説明】
【技術分野】
【０００１】
この考案は、不意の軽失禁または失禁に対応するためのパンツおよび尿吸収パッドに関するものである。
【背景技術】
【０００２】
従来より、失禁に対処するための下着は、たとえば、実用新案登録第３１７９８３２号公報（特許文献１）および実用新案登録第３０７３８２９号公報（特許文献２）に開示されている。
【０００３】
特許文献１の失禁パンツは、透水性シートと防水性シートとの間に吸水性中間層を配置させている。吸水性中間層は、尿を外部に漏らさないように吸水する部分であり、複数枚のポリエステル製不織布を積層した構造であることが開示されている。
【０００４】
特許文献２の消臭パッドは、連続気泡を有するウレタンスポンジと、ウレタンスポンジを外装繊維素材内に収納する外装繊維素材とを備えることが開示されている。さらに、ポリウレタンスポンジの連続気泡の内部表面上に消臭剤を接着させることで、消臭効果を発揮させることが開示されている。
【先行技術文献】
【特許文献】
【０００５】
【特許文献１】実用新案登録第３１７９８３２号公報
【特許文献２】実用新案登録第３０７３８２９号公報
【考案の概要】
【考案が解決しようとする課題】
【０００６】
特許文献１の失禁パンツは、尿吸収パッドに吸収された尿が、縫い目線に沿って尿がパンツ生地まで染み出すことはない。しかし、尿吸収パッドに吸収した尿の逆戻りにまで配慮した構造にはなっていない。また、特許文献２は、ポリウレタンスポンジを利用しているものの、失禁した場合の消臭効果を実現させるものであり、ポリウレタンスポンジへの失禁の吸収まで意図したものではない。
【０００７】
本考案は、上記の課題を解決するためになされたものであり、その目的は、失禁に伴う不快感を抑制することが可能なパンツおよび尿吸収パッドを提供することである。
【課題を解決するための手段】
【０００８】
この目的のため、この考案の一態様に係るパンツは、パンツ生地と、パンツ生地の裏面に取り付けられる尿吸収パッドとを備えたパンツであって、尿吸収パッドは、装着者の体に接触する拡散シートと、パンツ生地の裏面に接触する防水シートと、拡散シートと防水シートとの間に配置される吸水シートとを備え、吸水シートは、連続多孔質体を有する吸水性ウレタンスポンジである。
【０００９】
上記構成の本考案によれば、尿は、拡散シートで拡散され、その状態で、連続多孔質体を有する吸水性ウレタンスポンジの吸水シートに吸収される。吸水シートは、吸収した尿の保持力が高いため、吸水シートで吸収された尿の逆戻りを防ぐことができる。
【００１０】
好ましくは、吸水シートは、平均気孔径が１５μｍ以上３５μｍ以下であり、気孔率が８０％以上９０％以下であり、保水率が３５０％以上７００％以下である。
【００１１】
好ましくは、拡散シートは、ポリエステル系のニット素材である。
【００１２】
好ましくは、拡散シートは、メッシュ素材である。
【００１３】
好ましくは、吸水シートは、２枚以上積層されている。
【００１４】
好ましくは、吸水シートの厚みは、０．７ｍｍ以上１．３ｍｍ以下である。
【００１５】
好ましくは、吸水シートは、消臭成分、抗菌成分および芳香成分のうちの少なくとも１つの成分を含む。
【００１６】
この考案の一態様に係る尿吸収パッドは、パンツ生地の裏面に取り付けられる尿吸収パッドであって、装着者の体に接触する拡散シートと、パンツ生地の裏面に接触する防水シートと、拡散シートと防水シートとの間に配置される吸水シートとを備え、吸水シートは、連続多孔質体を有する吸水性ウレタンスポンジである。
【図面の簡単な説明】
【００１７】
【図１】本考案の実施の形態１に係るパンツの正面図である。
【図２】本考案の実施の形態１に係るパンツの尿吸収パッドの構造を示す図解断面図である。
【図３】吸水シートの気孔径を示す写真である。
【図４】本考案の実施の形態１に係るパンツの尿吸収パッドの吸収経路を示す模式図である。
【図５】本考案の実施の形態２に係るパンツの尿吸収パッドの吸収経路を示す模式図である。
【図６】尿吸収パッドに生理食塩水を注入した状態を示す写真である。
【図７】逆戻り量を示すグラフである。
【図８】尿吸収パッドに生理食塩水を注入した後の液戻り量を示す写真である。
【考案を実施するための形態】
【００１８】
図１に示すように、パンツ１は、パンツ生地２と、パンツ生地２の裏面に取り付けられる尿吸収パッド３とを備える。図１に示されるパンツ１は、女性用のものであり、装着者が下半身に一般的に使用するパンツと同様の形状および素材で形成され、一般的なパンツと同様、洗濯して、繰り返し使用することができる。
【００１９】
＜実施の形態１＞
図２をさらに参照して、尿吸収パッド３について説明する。図２は、本考案の実施の形態１に係るパンツ１の尿吸収パッド３の構造を示す図解断面図である。
【００２０】
尿吸収パッド３は、装着者の体に接触し、ある程度の吸水性を有する拡散シート３０と、パンツ生地２の裏面に接触する防水シート５０と、この両シート３０，５０間に配置される吸水シート４０とを備える。尿吸収パッド３は、幅方向両端縁に帯布２１を取り付けて、縫製によりパンツ生地２に取り付けられている。また、尿吸収パッド３は、帯布２１によりその外周縁が取り囲まれ、尿吸収パッド３の幅方向両端縁だけが、縫製によりパンツ生地２に取り付けられていてもよい。
【００２１】
拡散シート３０は、尿を拡散して通過させる素材であり、たとえば、ポリエステル系のニット素材である。拡散シート３０は、たとえば、東レ株式会社のフィールドセンサー（登録商標）である。なお、拡散シート３０は、装着者の体に接触する面が起毛されていてもよい。
【００２２】
防水シート５０は、尿を通過させない素材、たとえば、ポリウレタンフィルムにより形成される。なお、防水シート５０と吸水シート４０との間には、消臭性および抗菌性を有するシートが配置されていてもよい。
【００２３】
吸水シート４０は、拡散シート３０で拡散して通過してきた尿を外部に漏らさないように吸収し、保持する部分である。吸水シート４０は、連続多孔質体を有する吸水性ウレタンスポンジである。吸水シート４０は、たとえば、アイオン株式会社のソフラス（登録商標）である。
【００２４】
吸水シート４０として用いるソフラスの物性を表１に表す。
【００２５】
【表１】
0003202038.tif 000003
【００２６】
ソフラスの平均気孔径は、走査電子顕微鏡を用いてソフラスの切断面を倍率２００倍で観察し、気孔径の大きいものから順に２０個をピックアップし、それぞれの短径を測定し、その平均値として算出される。また、保水率は、乾燥状態のソフラスを飽和状態まで含水させたときの重量増加率により算出される。
【００２７】
図３は、ソフラスの気孔径を示す写真である。図３（Ａ）は、ソフラスＮの気孔径を示す写真であり、図３（Ｂ）は、ソフラスＳＫの気孔径を示す写真であり、図３（Ｃ）は、ソフラスＣの気孔径を示す写真である。
【００２８】
上述したように、ソフラスは、連続多孔質体を有する吸水性ウレタンスポンジである。図３（Ａ）に示すソフラスＮは、均一の連続多孔質体を有している。図３（Ｂ）のソフラスＳＫおよび図３（Ｃ）のソフラスＣは、小さい気孔と大きい気孔が複数混在している。
【００２９】
上述したように、表１を参照して、図３（Ａ）ソフラスＮは、平均気孔径が２５μｍであり、気孔率が８３％であり、保水率が４００％である。図３（Ｂ）のソフラスＳＫは、小さい気孔の平均気孔径が３５μｍであり、大きい気孔の平均気孔径が３００μｍである。さらに、ソフラスＳＫは、気孔率が８９％であり、保水率が６６０％である。図３（Ｃ）のソフラスＣは、小さい気孔の平均気孔径が１５μｍであり、大きい気孔の平均気孔径が３００μｍである。さらに、ソフラスＣは、気孔率が８７％であり、保水率が５７０％である。以上より、吸水シート４０は、平均気孔径が１５〜３５μｍであり、気孔率が８０〜９０％であり、保水率が３５０〜７００％であることが望ましい。ソフラスが大きい気孔と小さい気孔を有する場合、平均気孔径１５〜３５μｍは、小さい気孔だけの気孔径の平均を示すものとする。
【００３０】
図３（Ｂ）のソフラスＳＫおよび図３（Ｃ）のソフラスＣは、小さい気孔に加えて大きい気孔を有するため、柔軟で弾力性を有し、尿の吸収速度が速い。しかし、ソフラスＳＫおよびＣは、吸収速度が速い反面、図３（Ａ）のソフラスＮと比較して、一度吸収された尿の逆戻りの可能性が高い。したがって、逆戻りの観点から、吸水シート４０としては、ソフラスＮを用いることが望ましい。
【００３１】
吸水シート４０として用いるソフラスの厚みは、０．８ｍｍ以上３．４ｍｍ以下である。望ましくは、ソフラスの厚みは、０．８ｍｍ以上１．３ｍｍ以下であり、この場合、１０ｃｃ程度の軽失禁に対処することができる。さらに、ソフラスの厚みを０．８ｍｍ以上１．３ｍｍ以下にすることで、尿吸収パッド３の厚みを薄くすることができ、尿吸収パッド３が嵩張らず、パンツ１の股部分のゴワゴワ感を低減することができる。これにより、失禁パンツを履いたことがない女性でも、普通のパンツを履くような感覚で、抵抗なく履くことができる。なお、ソフラスの厚みを１．４ｍｍ以上３．４ｍｍ以下とすることで、失禁が多い人向けのパンツの尿吸収パッドに適用することができる。
【００３２】
ソフラスは、ハードディスクなどの電子部品の洗浄、プリント基板などの吸水、樹脂や水溶性接着剤などの塗布に用いられることが一般的であった。これらは、典型的には、工業製品に対して利用されており、工業製品の洗浄、吸水および脱水を目的とするものである。したがって、失禁後に吸収した尿が逆戻りしないことを目的として、パンツ１の吸水シート４０にソフラスを用いることは、当業者であっても容易に想到することはできない。
【００３３】
ソフラスは、消臭成分、抗菌成分および芳香成分のうちの少なくとも１つの成分を含んでいてもよい。この場合、ソフラスを成形する際に、消臭成分、抗菌成分および芳香成分などを練り込んで、一体的に成形する。上述のように、ソフラスは、典型的には工業製品に対して利用されているものであり、ソフラスに消臭成分、抗菌成分および芳香成分を練り込むということは、パンツ１の吸水シート４０としてソフラスを用いる際に、特別になされた工夫である。
【００３４】
図４を参照して、本実施の形態１における尿吸収パッド３の尿の吸収経路について説明する。図４は、本考案の実施の形態１に係るパンツ１の尿吸収パッド３の尿の吸収経路を示す模式図である。
【００３５】
図４（Ａ）に示されるように、本実施の形態に係るパンツ１を装着して失禁した場合、尿は、拡散シート３０で広がりながら拡散シート３０を通過する。拡散シート３０を通過した尿は、吸水シート４０に到達し、ソフラスの気孔内に吸収される。吸水シート４０に吸収されなかった尿は、吸水シート４０を通過して防水シート５０に到達する。尿は、防水シート５０に接触して左右に広がり、図４（Ｂ）に示されるように、吸水シート４０の下方からも吸収される。
【００３６】
上述したように、吸水シート４０として用いられるソフラスの気孔内に尿が吸収される。このため、吸水シート４０は、尿を吸収する前と尿を吸収した後とでは、厚みが変わらない。したがって、吸水シート４０に吸収された尿は、圧力をかけるなど体積を小さくしない限り逆戻りするおそれが極めて少ないため、さらさら感を持続させることができ、装着者は不快感を感じない。
【００３７】
図５を参照して、本実施の形態２における尿吸収パッド３Ａの他の構成例について説明する。以下に、実施の形態１との相違点のみ説明する。
【００３８】
＜実施の形態２＞
図５は、本考案の実施の形態２に係るパンツの尿吸収パッド３Ａの尿の吸収経路を示す模式図である。図５を参照して、本実施の形態では、吸水シート４０が２枚配置されている。この場合も、２枚の吸水シート４０は、拡散シート３０と防水シート５０との間に配置されている。
【００３９】
吸水シート４０は、実施の形態１の吸水シート４０と同一の構成であり、厚みが０．７ｍｍ以上１．３ｍｍ以下である。上述したように、軽失禁向けのパンツの場合は、厚みが０．８ｍｍ以上１．３ｍｍ以下であることが望ましい。しかし、失禁が多い人向けのパンツは、このサイズでは不十分であり、吸水シート４０の厚みを３ｍｍ程度にするべきであるところ、吸水シート４０の厚みを３ｍｍにすると股部分が嵩張り、履き心地がよくない。
【００４０】
そこで、失禁が多い人向けのパンツは、厚みが０．７ｍｍ以上１．３ｍｍ以下の吸水シート４０を２枚重ねる。このような構成とすることで、吸水シート４０がそれぞれ動き、ゴワゴワ感が軽減され、履き心地がよくなる。なお、さらに失禁が多い人向けのパンツは、吸水シート４０が複数重ねられていればよい。この場合、吸水シート４０は、３枚以上重ねられていてもよい。
【００４１】
また、吸水シート４０は、ソフラスと他の素材、たとえば、マイクロファイバーや帝人株式会社のベルオアシス（登録商標）や綿が組み合わされて、積層されていてもよい。
【００４２】
実施の形態１の尿吸収パッド３を用いて、以下の比較実験を行った。実験例１〜３および比較例１〜６の尿吸収パッドの構成を表２に示す。
【００４３】
拡散シートとして、フィールドセンサーＴ９２６、フィールドセンサーＴ４３１、フィールドセンサーＴ４７４の３種類を用いた。フィールドセンサーＴ９２６は、厚さが０．３４ｍｍであり、フィールドセンサーＴ４３１は、厚さが０．４０ｍｍであり、フィールドセンサーＴ４７４は、厚さが０．５４ｍｍである。
【００４４】
吸水シートとして、ソフラスＮ、ベルオアシス、綿の３種類を用いた。ソフラスＮの厚みは、約２．６１ｍｍであり、ベルオアシスの厚みは、約２．４８ｍｍであり、綿の厚みは、約３．２２ｍｍである。具体的な組み合わせは、下記表に示す。ベルオアシスは、ポリアクリル酸ナトリウム塩を主成分とするポリマーを直接紡糸した繊維である。なお、防水シートは、すべて同一の撥水布地が用いられている。
【００４５】
【表２】
0003202038.tif 000004
【００４６】
＜吸水時間の測定＞
まず、防水シートと、表２に示す吸水シートと、表２に示す拡散シートとを８０ｍｍ×１５０ｍｍの大きさに切断し縫い合わせて、尿吸収パッドを作成した。３７度に温めた生理食塩水（塩化ナトリウム０．９％）を１０ｍｌ，２０ｍｌ準備した。高さ約７０ｍｍから尿吸収パッドに対して生理食塩水を注入し、完全に生理食塩水が拡散シート３０内に吸収される（しみこむ）までの時間を目視で計測した。
【００４７】
【表３】
0003202038.tif 000005
【００４８】
表３は、実施例１〜３および比較例１〜６の尿吸収パッドの吸水時間を示す表である。表３において、「〇」は、０．６秒以下の瞬間吸収を示す。表３を参照すると、吸水シート４０としてソフラスを使用している実施例１〜３は、実施例１の注水１０ｍｌを除き、瞬間吸収されていない。これに対し、比較例１〜６は、ほとんどすべてにおいて瞬間吸収されている。
【００４９】
図６は、実施例１と比較例１の尿吸収パッドに生理食塩水１０ｍｌを注入した状態を示す写真である。図６の左側の尿吸収パッドは、実施例１を示し、右側の尿吸収パッドは、比較例１を示す。図６を参照して、実施例１の尿吸収パッドに注入した生理食塩水は、比較例１の尿吸収パッドに注入した生理食塩水よりも、拡散していることがわかる。つまり、実施例１の尿吸収パッドでは、生理食塩水は、そのまま拡散シートを通過せずに、拡散シートで拡散した後にソフラスに吸収される。
【００５０】
以上より、比較例１において、生理食塩水は、拡散シートを通過して吸水シートにそのまま吸収される。これに対し、吸水シートとしてソフラスを使用している実施例１では、生理食塩水は、拡散シートで広がって、広がった状態のままソフラスに吸収される。すなわち、実施例１の尿吸収パッドは、拡散シートで広がる分だけ、瞬間吸収されないことが分かる。
【００５１】
＜逆戻り量の測定＞
上記の実験と同様に、尿吸収パッドを作成し、３７度に温めた生理食塩水を１０ｍｌ，２０ｍｌ注入した。その状態のまま１０分間放置し、尿吸収パッド上に直径１５０ｍｍのろ紙３枚と２ｋｇのおもりを載置し、２分間放置した。その後、ろ紙の増加した重量を計測し、その重量を逆戻り量として換算した。
【００５２】
図７は、上記実験により測定した逆戻り量のグラフであり、図７（Ａ）は、生理食塩水を１０ｍｌ注入した場合、図７（Ｂ）は、生理食塩水を２０ｍｌ注入した場合を示す。図７（Ａ）（Ｂ）を参照すると、吸水シートとしてソフラスを利用している実施例１〜３は、比較例４〜９と比較して、逆戻り量が極めて小さいことがわかる。つまり、本考案に係るパンツ１は、履き心地が良好である。
【００５３】
図８は、１０ｍｌを注水した後の液戻り量を示す写真である。図８は、３７度に温めた生理食塩水を１０ｍｌ注入し、尿吸収パッド上に直径１５０ｍｍのろ紙を載せ、さらに、そのろ紙の上に２ｋｇのおもりを載置し、２分間放置した後のろ紙の状態を示す写真である。図８の左側の尿吸収パッドは、実施例１を示し、右側の尿吸収パッドは、比較例１を示す。
【００５４】
図８を参照して、実施例１は、ろ紙にシミがほとんど現れていないのに対し、比較例１は、ろ紙にシミが明確に表れていることがわかる。すなわち、吸水シートとしてソフラスを用いた実施例１〜３は、逆戻りがないのに対し、ソフラスを用いていない比較例４〜９は、逆戻りがあることが推測できる。
【００５５】
吸水シートとしてソフラスを用いると、吸収時間は、比較例と比べて大きくなるが、１秒もかからない程度であれば、不快感は感じない。それよりも、失禁による不快感は、一旦吸水シートに吸収した尿が逆戻りすることが一番の原因とされている。これにより、吸水シートとしてソフラスを用いることで、尿は、拡散シートで拡散されて、吸水シートのソフラスに吸収されるため、一度吸収された尿が逆戻りすることが極めて少なく、履き心地が良好である。
【００５６】
なお、上記実施の形態において、拡散シート３０は、ポリエステル系のニット素材であるとして説明したが、メッシュ素材であってもよい。メッシュ素材は、表面張力が働くため、拡散シートとして用いることができる。また、吸水シート４０として綿を利用する場合に、拡散シート３０としてメッシュ素材を用いると、メッシュ素材は網目が粗いため、網目から綿が出てしまうおそれがあった。吸水シート４０としてソフラスを用いるため、メッシュ素材の拡散シート３０を用いることが可能となる。
【００５７】
また、上記各実施の形態において、尿吸収パッド３内の形状や配置を男性用のパンツに適するように変更してもよい。
【００５８】
また、上記実施の形態２において、失禁が多い人向けのパンツは、厚みが０．７ｍｍ以上１．３ｍｍ以下の吸水シート４０を２枚重ねるとして説明した。しかし、吸水シート４０の厚みは、０．７ｍｍ以上１．３ｍｍ以下に限定されず、たとえば、吸水シート４０の厚みを１．４ｍｍ以上３．５ｍｍ以下にし、複数重ねることで、特に失禁が多い人向けのパンツに使用することができる。
【００５９】
また、上記各実施の形態における尿吸水パッド３，３Ａは、パンツ生地２に縫製により取り付けられるものとしたが、尿吸水パッド３，３Ａ単体を個別に提供してもよい。その際、上記した帯布２１は、尿吸水パッド３，３Ａの外周縁を取り囲むものとする。
【００６０】
本考案は、図示した実施形態のものに限定されない。図示した実施形態に対して、この考案と同一の範囲内において、あるいは均等の範囲内において、種々の修正や変形を加えることが可能である。
【符号の説明】
【００６１】
１  パンツ、２  パンツ生地、３，３Ａ  尿吸水パッド、２１  帯布、３０  拡散シート、４０  吸水シート、５０  防水シート。
【図１】
0003202038.tif 000006
【図２】
0003202038.tif 000007
【図３】
0003202038.tif 000008
【図４】
0003202038.tif 000009
【図５】
0003202038.tif 000010
【図６】
0003202038.tif 000011
【図７】
0003202038.tif 000012
【図８】
0003202038.tif 000013